(57)【要約】【課題】  美観を損なうことなく確実安全に伸縮できるパイプ状体を提供すること。【解決手段】  大径のパイプ状体と、その内径より小径であり少なくとも端部では内部に挿入可能な小径パイプ状体と、それら両パイプ状体を連結させる固定部材及びスリーブとを備え、両パイプ状体の連結位置を変更することで長さを調節可能な伸縮自在パイプであって、固定部材が、略筒状であり、ねじを介して大径パイプ状体の端部に配設されて大径パイプ状体より突出し、その突出部分の内面が、内挿された小径パイプ状体の外面に対向可能であり、スリーブが、略筒状であり、固定部材の内側に配設され、外面が大径パイプ状体の外面に接触可能であり、内面が小径パイプ状体の外面に接触可能であり、端面が固定部材の内面に接触可能であり、更に、外面の径が大径パイプ状体から突出する位置ほど大径のテーパ状である。【選択図】  図７
2007085495.tif 000002
【特許請求の範囲】
【請求項１】
大径のパイプ状体と、その内径より小径であり少なくとも端部では内部に挿入可能な小径パイプ状体と、それら両パイプ状体を連結させる固定部材及びスリーブとを備え、両パイプ状体の連結位置を変更することで長さを調節可能な伸縮自在パイプであって、
固定部材は、略筒状であり、ねじを介して大径パイプ状体の端部に配設されて大径パイプ状体より突出し、その突出部分の内面が、内挿された小径パイプ状体の外面に対向可能であり、
スリーブは、略筒状であり、固定部材の内側に配設され、外面が大径パイプ状体の外面に接触可能であり、内面が小径パイプ状体の外面に接触可能であり、端面が固定部材の内面に接触可能であり、更に、外面の径が大径パイプ状体から突出する位置ほど大径のテーパ状であり、
固定部材を回転させると、そのねじによって大径パイプ状体からの突出部分が短くなり、それに伴って、固定部材の内面に接触するスリーブが大径パイプ状体寄りに移動し、テーパ状のスリーブ外面が大径パイプ状体の内面に押圧されることで、両パイプ状体の連結が確保される
ことを特徴とする伸縮自在パイプ。
【請求項２】
スリーブが、スリットの入った略Ｃ字型の筒状である
請求項１に記載の伸縮自在パイプ。
【請求項３】
スリーブが、複数個に分断されるが全体としては筒状を形成する
請求項１に記載の伸縮自在パイプ。
【請求項４】
固定部材がねじ穴を有し、そこにねじを挿通することで両パイプ状体の相対位置を固定可能である
請求項１ないし３に記載の伸縮自在パイプ。
【発明の詳細な説明】
【技術分野】
【０００１】
本発明は、重量のある機器等を建築物に吊下げて設置するための支持具などに用いられる長さ調整可能な伸縮自在パイプに関する。
【背景技術】
【０００２】
カメラ、スピーカー、時計、モニター等を、天井もしくは梁より吊り下げる際に使用される従来の吊り下げ支持具は、現場での調査を元に長さを固定したタイプと、ある程度の自在性を付与させたタイプとの２タイプがあった。しかし、それぞれに問題点があり安価で手軽な自在パイプが望まれている。
【０００３】
従来よく使用される現場での調査を元に長さを固定したタイプの吊り下げ支持具では、次のような問題点がある。第一に、正確な現場調査が必要とされることである。そのため、現場での調査人の技量により製品の出来栄えが左右され、調査人の教育も必要とされる。第二には、現場調査に伴う人件費や交通費等の費用が嵩んでしまう。第三に、支持具の特性的な問題で固定タイプの場合、一度取り付けてしまうと再度長さを調整するのは不可能である。
【０００４】
また、従来使われていた伸縮自在パイプは、大径パイプに数本のスリットとねじ部をもうけたスリーブを取り付けて固定用の筒を回転させ、固定用筒の内面のテーパ面でスリーブを押し込み固定する方法や、一定の間隔で穴を開けてボルトで固定する方法等があるが、第一の方法では、スリーブを大径パイプに強固に取り付ける必要があり、製作工数を増やしている。また第二の方法では、微調整ができず美観上も好ましくなかった。
更に、現在市販されている自在ポールは、落下防止や回転防止対策を考慮されていないため、重量品を頭上に吊るす用途に適しているものではなかった。
【０００５】
類似する従来技術には、例えば、特許文献１〜４がある。しかし、従来技術では、吊り下げ高さや取り付け方向を自在に調整できて、貴重品も安全に吊り下げられ、美観も損なわないようにすることは困難であった。
【特許文献１】特開２００５−９０１５４
【特許文献２】特開２００３−９４３７５
【特許文献３】特願平１０−２５９０７６
【特許文献４】特開平８−２９９６９０
【発明の開示】
【発明が解決しようとする課題】
【０００６】
そこで、本発明は、現場での調査作業の軽減し、設置後では容易に高さ調整でき、安全に重量品の設置も可能にする安価な伸縮自在パイプを提供することを課題とする。また、公共施設などの人目に付く場所に設置されても、美観的にも優れたものを提供する。
【課題を解決するための手段】
【０００７】
上記課題を解決するために、本発明の伸縮自在パイプは、次の構成を備える。
すなわち、大径のパイプ状体と、その内径より小径であり少なくとも端部では内部に挿入可能な小径パイプ状体と、それら両パイプ状体を連結させる固定部材及びスリーブとを備え、両パイプ状体の連結位置を変更することで長さを調節可能な伸縮自在パイプにおいて、固定部材が、略筒状であり、ねじを介して大径パイプ状体の端部に配設されて大径パイプ状体より突出し、その突出部分の内面が、内挿された小径パイプ状体の外面に対向可能であり、スリーブが、略筒状であり、固定部材の内側に配設され、外面が大径パイプ状体の外面に接触可能であり、内面が小径パイプ状体の外面に接触可能であり、端面が固定部材の内面に接触可能であり、更に、外面の径が大径パイプ状体から突出する位置ほど大径のテーパ状であり、固定部材を回転させると、そのねじによって大径パイプ状体からの突出部分が短くなり、それに伴って、固定部材の内面に接触するスリーブが大径パイプ状体寄りに移動し、テーパ状のスリーブ外面が大径パイプ状体の内面に押圧されることで、両パイプ状体の連結が確保されることを特徴とする。
【０００８】
ここで、スリーブを、スリットの入った略Ｃ字型の筒状に構成し、設置の利便に供してもよい。
スリーブは、複数個に分断させて、全体としては筒状を形成するように構成してもよい。
【０００９】
固定部材にねじ穴を設け、そこにねじを挿通することで両パイプ状体の相対位置を固定可能として、連結の安定性に寄与させてもよい。
【発明の効果】
【００１０】
本発明の伸縮自在パイプによると、吊り下げ高さや取り付け方向が自在に調整でき、そのような機能を備えても支持機能を固定部材内に一括収納できるので美観も損なわない。
また、樹脂を使用したスリーブを使用すれば、スリーブの内面が小径パイプを固定する際、小径パイプの外面を傷つけることなく支持固定できる。
また、スリーブを固定部材内に挿入するだけで組み立てられるので、必要強度に合わせてあらゆる材質を選定することができ、大きな荷重に耐えることもできる。
また、ねじ機能で固定部材または大径管の端部でテーパを押すので、小径パイプの固定および固定解除がスムーズに行える。
【発明を実施するための最良の形態】
【００１１】
以下、本発明の実施形態について、図面を基に説明する。
本発明は、大小様々な大きさや重量の機器等を建築物等に、取り付け高さと方向を自在に調整して設置するための支持具一般を対象とすることができるが、以下では、好適実施例として、大径パイプに小径パイプを挿通させる形態の伸縮自在パイプの一例を挙げて説明する。
なお、本例では、大径パイプ、小径パイプ、固定部材を金属製とし、スリーブを樹脂製としたが、支持する機器の重量やその他の荷重条件により材質は適宜選定される。
また、小径パイプは、中空でなく中実でもよい。大径パイプも、端部以外は中実でもよい。
【００１２】
図７に、伸縮自在パイプの要部正面断面図を示す。
伸縮自在パイプは、大径パイプ（１）と小径パイプ（２）と固定部材（３）及びスリーブ（４）とを備える。
固定部材（３）は、大径パイプ（１）の端部に配設されて大径パイプ（１）より突出し、その突出部分の内面が小径パイプ（２）の外面に対向する。
スリーブ（４）は、固定部材（３）の内側に配設され、外面が大径パイプ（１）の外面に対向すると共に、内面が小径パイプ（２）の外面に対向する。
【００１３】
図1は、大径パイプ（１）の斜視図である。
径48.6mmの大径パイプ（１）は金属製で、固定部材（３）へ挿入する側（１ｃ）の外周には、おねじ（１ａ）が切ってあり、反対側には建築物に取り付けるための平板（５）が付いている。固定部材（３）へ挿入する側（１ｃ）から、内面（１ｂ）に小径パイプ（２）が挿入できる構造になっている。
【００１４】
図２は、小径パイプ（２）の斜視図である。
径34.0mmの小径パイプ（２）は金属製で、固定部材（３）へ挿入する側（２ｂ）の反対側に、機器を取り付けるための平板（６）が取り付けてある。
【００１５】
図３及び4は、それぞれ固定部材（３）の一部破断正面説明図及び平面説明図である。
固定部材（３）は金属製で、外径54mm高さ62mmである。
固定部材（３）の外側は、小径パイプ挿入部（３ｃ）側から３０度の面取り（３ｉ）があり、そこにはスパナ等の締付工具が装着できる締め付け用切り込み（３ｈ）が対向する２箇所に設けてある。
固定部材（３）の内側は筒状で、小径パイプ挿入部(３ｃ)から、スリーブ格納部（３ｂ）、めねじ部（３ａ）、大径パイプ挿入部（３ｅ）が連なる。その内径は、それぞれ36mm、50mm、45mm、50mmで、めねじ部（３ａ）にはめねじが切ってある。
【００１６】
スリーブ格納部（３ｂ）内部のスリーブ押し部（３ｄ）は、固定部材（３）を右方向に回転させるとスリーブを押し込む働きがあり、スリーブ格納側めねじ端部（３ｇ）は、固定部材（３）を左方向に回転させるとスリーブを取り外す働きがあり、大径パイプ挿入側めねじ端部（３ｆ）は、固定部材の締め過ぎを防止する働きがある。
【００１７】
図５及び６は、それぞれスリーブの一部破断正面説明図及び平面説明図である。
スリーブ（４）は樹脂製で、１箇所にスリット（４ｆ）がはいった略Ｃ字型の筒状になっていて、内面（４ａ）は小径パイプと同径の34ｍｍで、外面（４ｅ）は小径パイプ挿入側の端部（4ｂ）側から7ｍｍの厚さのつば（4ｃ）があり、そこから大径パイプ挿入側の端部（4ｄ）に向かって外径が43ｍｍから38ｍｍに小さくなっていて、外面（４ｅ）はテーパ面（４ｇ）をなしている。
【００１８】
伸縮自在パイプを組み立てるには、図７に示すように、最初に、スリーブ（４）をスリーブの内面（４ａ）につぶしながら固定部材（３）の内側に挿入する。
次に、小径パイプ（２）を固定部材（３）の小径パイプ挿入部（３ｃ）側から挿入し、スリーブの内面（４ａ）側に挿入する。
次に、大径パイプ（１）を固定部材（３）の大径パイプ挿入部（３ｃ）から挿入し、大径パイプのおねじ部（１ａ）を固定部材のめねじ部にねじ込み、小径パイプ（２）の挿入長さを調整し、固定部材（３）を締め付けることで完了する。
【００１９】
固定部材（３）が小径パイプ（２）を支持固定する機構は次の通りである。
固定部材（３）を回転させると、ねじの機構により固定部材のスリーブ押し部（３ｄ）がスリーブのつば（４ｃ）を押し上げ、スリーブの外面（４ｅ）が大径パイプの内面（１ｂ）と接触し、スリーブの外面（４ｅ）がテーパ（４ｇ）をしているためスリーブの内径を小さくするように働き、スリーブ内面（４ａ）が小径パイプの外面（２ｂ）を締め付けることにより固定する。
【産業上の利用可能性】
【００２０】
本発明の伸縮自在パイプによると、簡易な構成でありながら、美観を損なうことなく確実安全に伸縮できるので、多様な場面に利用でき産業上利用価値が高い。
【図面の簡単な説明】
【００２１】
【図１】大径パイプの斜視図
【図２】小径パイプの斜視図
【図３】固定部材の一部破断正面説明図
【図４】同、平面図
【図５】スリーブの一部破断正面説明図
【図６】同、平面図
【図７】伸縮自在パイプの正面断面図
【符号の説明】
【００２２】
１        大径パイプ
１ａ      大径パイプのおねじ部
１ｂ      大径パイプの内面
１ｃ      大径パイプの外周
２          小径パイプ
２ａ 小径パイプの外面
２ｂ 小径パイプの固定部材へ挿入する側
３          固定部材
３ａ      固定部材のめねじ部
３ｂ      固定部材のスリーブ格納部
３ｃ      固定部材の小径パイプ挿入部
３ｄ      固定部材のスリーブ押し部
３ｅ      固定部材の大径パイプ挿入部
３ｆ      固定部材の大径パイプ挿入側めねじ端部
３ｇ      固定部材のスリーブ格納側めねじ端部
３ｈ      固定部材の締付用切り込み
３ｉ      固定部材のテーパ
３ｊ      固定部材のめねじ穴
４          スリーブ
４ａ スリーブの内面
４ｂ スリーブの小径パイプ挿入側の端部部
４ｃ スリーブのつば
４ｄ スリーブの大径パイプ挿入側の端部
４ｅ スリーブの外面
５          建築物に取り付けるための板
６          機器を取り付けるための板
【図１】
2007085495.tif 000003
【図２】
2007085495.tif 000004
【図３】
2007085495.tif 000005
【図４】
2007085495.tif 000006
【図５】
2007085495.tif 000007
【図６】
2007085495.tif 000008
【図７】
2007085495.tif 000009